(57)【要約】【課題】  データの改ざんがしにくく、録音された時刻及び位置情報を正確に記録することができる携帯型録音装置を提供する。【解決手段】  携帯型録音装置１は、ＧＰＳアンテナ２、処理手段３、操作ボタン４、表示手段６、スピーカ７、マイク８、データ記憶部９を備えている。さらに、処理手段３は、ＧＰＳ時刻測位演算手段１３、音声発生手段１４、音声処理手段１６、及び暗号化手段１７を有する。処理手段３は、マイク８によって収音された音声のアナログ音声信号を音声処理手段１６に処理させて録音状態としている間、ＧＰＳアンテナ２によって受信された電波に基づいて、ＧＰＳ時刻測位演算手段１３に時刻と位置情報を演算させ、音声発生手段１４に対して、演算させた時刻と位置情報をスピーカ７に発声させる。発声された時刻及び位置情報は、マイク８に収音されるため、会話内容とともに録音される。【選択図】  図１
2006146099.tif 000002
【特許請求の範囲】
【請求項１】
収音した音声に対応してアナログ音声信号を生成するマイクと、
前記アナログ音声信号をデジタル化する音声処理手段と、
データを記録するデータ記録手段と、
ＧＰＳ衛星からの電波を受信するＧＰＳアンテナと、
前記ＧＰＳアンテナによって受信された電波に基づいて、時刻及び位置情報を演算するＧＰＳ時刻測位演算手段と、
前記ＧＰＳ時刻測位演算手段によって演算された時刻及び位置情報を音声としてスピーカに発声させる音声発生手段と、
録音中に、前記音声発生手段に対して前記時刻及び前記位置情報を前記スピーカに発声させるように指示すると共に、前記音声処理手段によってデジタル化された録音データとＧＰＳ時刻測位演算手段によって演算された前記時刻及び前記位置情報とを関連付けて前記データ記憶手段に記憶させる処理手段と
を備えることを特徴とする携帯型録音装置。
【請求項２】
前記録音データ、前記時刻及び前記位置情報を暗号化する暗号化手段をさらに備え、
前記処理手段は、前記暗号化手段によって処理された前記録音データ、前記時刻及び前記位置情報を前記データ記憶手段に記憶させることを特徴とする請求項１に記載の携帯型録音装置。
【請求項３】
表示手段をさらに有し、前記処理手段は、前記ＧＰＳ衛星からの前記電波が前記ＧＰＳアンテナによって受信されていることを前記表示手段に表示させることを特徴とする請求項１又は２に記載の携帯型録音装置。
【請求項４】
前記処理手段は、前記時刻及び前記位置情報を電子透かしによって前記録音データに埋め込んで、前記データ記憶手段に記憶させることを特徴とする請求項１〜３のいずれか一項に記載の携帯型録音装置。
【発明の詳細な説明】
【技術分野】
【０００１】
本発明は、音声等を録音する携帯型録音装置に関する。
【背景技術】
【０００２】
例えば、証券会社、銀行、保険会社等の金融機関の業務においては、顧客の要望する場所で、口座開設の依頼を受けたり、顧客に対して金融商品を紹介したり、金融商品の申し込みを受けたりすることがある。金融機関は、口座開設にあったては、契約内容や管理費用等の説明をする必要がある。また、金融商品を紹介する際には、その金融商品のリスク等について説明しなければならない。このようなリスク等の説明を怠れば、金融機関が責任を負うことになり、裁判等で問題になったときには、金融機関が説明責任を果たしたことを立証しなければならない場合がある。これらの説明や契約は、いつ行ったか等が重要になることも多い。その他の場面においても、いつ行われた会話であるかが正確に分かるように録音したい場合がある。このような場合、従来、録音機能を備えた携帯型の録音装置（例えば、特許文献１）がよく利用されていた。
【特許文献１】特開平９−１４６５９０号公報
【発明の開示】
【発明が解決しようとする課題】
【０００３】
しかしながら、そのような携帯用の録音装置で録音する場合、録音された時刻は、内蔵された時計による時刻であるため、正確性が保証できず、証拠能力にも劣る。また、単に、ＧＰＳを利用した時刻や位置情報を記録しても、データの改ざんのおそれがあり、データの正確性は保証の限りではない。
【０００４】
そこで、本発明は、データの改ざんがしにくく、録音された時刻及び位置情報を正確に記録することができる携帯型録音装置を提供することを目的とする。
【課題を解決するための手段】
【０００５】
本発明に係る携帯型録音装置は、収音した音声に対応してアナログ音声信号を生成するマイクと、そのアナログ音声信号をデジタル化する音声処理手段と、データを記録するデータ記録手段と、ＧＰＳ衛星からの電波を受信するＧＰＳアンテナと、ＧＰＳアンテナによって受信された電波に基づいて、時刻及び位置情報を演算するＧＰＳ時刻測位演算手段と、ＧＰＳ時刻測位測定手段によって演算された時刻及び位置情報を音声としてスピーカに発声させる音声発生手段と、録音中に、音声発生手段に対して時刻及び位置情報をスピーカに発声させるように指示すると共に、音声処理手段によってデジタル化された録音データとＧＰＳ時刻測位演算手段によって演算された時刻及び位置情報とをデータ記憶手段に記憶させる処理手段とを備えることを特徴とする。
【０００６】
この携帯型録音装置によれば、マイクによって収音された音声はアナログ音声信号に変換され、音声処理手段によってデジタル化される。そして、そのデジタル化された録音データは、処理手段によってデータ記憶手段に記憶される。ここで、音声が録音された正確な時刻及び位置を記録することができる。すなわち、ＧＰＳ衛星からの電波がＧＰＳアンテナによって受信され、その電波に基づき、ＧＰＳ時刻測位演算手段によって録音されている正確な時刻及び携帯型録音装置自体の位置情報が演算される。ＧＰＳ時刻測位演算手段によって演算された時刻及び位置情報は、処理手段によって関連付けられてデータ記憶手段に記憶される。したがって、データ記憶手段に記憶された時刻及び位置情報により、録音された正確な時刻及び録音された場所を確認することができる。さらに、ＧＰＳ時刻測位演算手段によって演算された時刻及び位置情報は、処理手段による音声発生手段に対する指示により、録音中にスピーカから発声される。スピーカによって発声された時刻及び位置情報は、音声と同様に、マイクによって収音されてアナログ音声信号に変換され、音声処理手段によってデジタル化される。そして、スピーカによって発声された時刻及び位置情報は、録音データとしてデータ記憶手段に記憶される。このように、ＧＰＳ時刻測位演算手段によって演算された時刻及び位置情報は、録音データに関連付けて、データ記憶手段に記憶されると共に、録音データとしてデータ記憶手段に記憶されるため、両者における時刻及び位置情報が一致することを確認することで、時刻及び位置情報のデータが改ざんされていないことを確認することができる。また、時刻及び位置情報のデータは二重に記録されるため、データの改ざんがしにくくなっている。
【０００７】
また、この携帯型録音装置は、録音データ、時刻及び位置情報を暗号化する暗号化手段をさらに備え、処理手段は、暗号化手段によって処理された録音データ、時刻及び位置情報をデータ記憶手段に記憶させると良い。この構成により、録音データ、時刻及び位置情報は、暗号化されるため、これらのデータは、さらに改ざんされにくくなる。
【０００８】
この携帯型録音装置は、さらに表示手段を有し、処理手段は、ＧＰＳ衛星からの電波がＧＰＳアンテナによって受信されていることを表示手段に表示させると好適である。この構成を採用することにより、録音の際、表示手段の表示内容によって、ＧＰＳ衛星からの電波がＧＰＳアンテナによって受信され、正確な時刻や位置情報が演算可能である状態にあることを確認することができる。
【０００９】
また、処理手段は、時刻及び位置情報を電子透かしによって録音データに埋め込んで、データ記憶手段に記憶させると良い。これにより、さらに、時刻及び位置情報のデータは改ざんされにくくなる。
【発明の効果】
【００１０】
本発明によれば、データの改ざんがしにくく、録音された時刻及び位置情報を正確に記録することができる。
【発明を実施するための最良の形態】
【００１１】
以下、図面を参照して本発明に係る携帯型録音装置の好適な実施形態について詳細に説明する。
【００１２】
＜携帯型録音装置の構成＞
図１は、携帯型録音装置１の機能ブロック構成図を示している。携帯型録音装置１は、物理的には、ＣＰＵ、ディスプレイ、ＧＰＳアンテナ、メモリ、インターフェイス等から構成される。図１に示すように、携帯型録音装置１は、機能的には、差し込み式のＧＰＳアンテナ２、処理手段３、操作ボタン４、表示手段６、スピーカ７、マイク８、データ記憶部９、インターフェイスＩ／Ｆ１１を備えている。さらに、処理手段３は、ＧＰＳ時刻測位演算手段１３、音声発生手段１４、音声処理手段１６、及び暗号化手段１７を有する。
【００１３】
ＧＰＳアンテナ２は、ＧＰＳ衛星１９（参照図２）からの電波を受信し、電波の受信信号を、処理手段３のＧＰＳ時刻測位演算手段１３に出力する。
【００１４】
ＧＰＳ時刻測位演算手段１３は、ＧＰＳアンテナ２によって出力された受信信号に基づいて、現在の正確な時刻、及び、携帯型録音装置１の正確な位置情報を演算し、その時刻及び位置情報を音声発生手段１４及び暗号化手段１７に出力する。なお、時刻及び位置情報はデジタル信号である。
【００１５】
音声発生手段１４は、ＧＰＳ時刻測位演算手段１３によって出力された時刻及び位置情報をスピーカ７に発声させる。例えば、音声発生手段１４は、「○年○月○日。現在の時刻は、○時○分○秒です。現在位置は、経度○度、緯度○度です。」とスピーカ７に発声させる。なお、ＧＰＳ時刻測位演算手段１３によって住所地を演算させて、音声発生手段１４は、現在位置に関して、住所地、例えば「東京都中央区…」と発声させてもよい。スピーカ７は、音声発生手段１４の出力に対応して音声を発声する。
【００１６】
マイク８は、音声を収音して音声に対応してアナログ音声信号を生成する。音声処理手段１６は、マイク８によって出力されたアナログ音声信号を増幅させ、フィルターによりノイズを除去して、Ａ／Ｄ変換によりデジタルの音声信号に変換し、符号化する。さらに、音声処理手段１６は、デジタル化した音声信号（録音データ）を暗号化手段１７に出力する。
【００１７】
暗号化手段１７は、音声処理手段１６によって出力された録音データと、ＧＰＳ時刻測位演算手段１３によって出力された時刻及び位置情報を暗号化し、データ記憶部９に出力する。
【００１８】
データ記憶部９は、暗号化手段１７によって出力された録音データ、時刻及び位置情報を関連付けて記憶する。
【００１９】
インターフェイスＩ／Ｆ１１は、データ記憶部９に記憶された録音データ、時刻及び位置情報を外部装置、システム、乃至通信回線網に送出するインターフェイスである。
【００２０】
処理手段３は、表示手段６に、録音開始、ＧＰＳ時刻測位演算、録音停止を選択できるメニュー画面を表示させる。操作ボタン４は、表示手段６に表示された録音開始、ＧＰＳ時刻測位演算、録音停止を選択可能に構成されており、操作ボタン４の操作によって選択された録音開始、ＧＰＳ時刻測位演算、又は録音停止のメニュー内容が、操作ボタン４から処理手段３に出力される。
【００２１】
処理手段３は、操作ボタン４によって録音開始のメニューが選択されると、マイク８によって収音され、生成されたアナログ音声信号を、音声処理手段１６に出力させる。これにより、音声処理手段１６は、アナログ音声信号を増幅させ、フィルターによりノイズを除去して、Ａ／Ｄ変換によりデジタルの音声信号に変換し、符号化する。
【００２２】
また、処理手段３は、操作ボタン４によってＧＰＳ時刻測位演算のメニューが選択されると、ＧＰＳ時刻測位演算手段１３に対して、ＧＰＳアンテナ２によって出力された受信信号を基に時刻及び位置情報を演算させて、音声発生手段１４及び暗号化手段１７に出力させる。さらに、処理手段３は、前回のＧＰＳ時刻測位演算から所定期間（例えば１０分）経過後に、ＧＰＳ時刻測位演算手段１３に対して繰り返しＧＰＳ時刻測位演算をさせ、時刻及び位置情報を音声発生手段１４及び暗号化手段１７に出力させる。なお、ＧＰＳ時刻測位演算手段１３によって時刻及び位置情報が音声発生手段１４に出力される都度、その時の時刻及び位置情報が、音声発生手段１４によってスピーカ７から発声され、マイク８によって収音されて、録音データとしてデータ記憶部９に記憶されることになる。
【００２３】
また、処理手段３は、操作ボタン４によって録音停止のメニューが選択されると、ＧＰＳ時刻測位演算手段１３に対してＧＰＳ時刻測位演算をさせ、時刻及び位置情報を音声発生手段１４及び暗号化手段１７に出力させる。そのため、音声発生手段１４は、録音停止時における時刻及び位置情報をスピーカ７から発声させる。スピーカ７によって発声された時刻及び位置情報は、マイク８によって収音されて、録音データとしてデータ記憶部９に記憶される。そのうえで、処理手段３は、マイク８及び音声処理手段１６に対して、音声の収音、処理を停止させる。続いて、処理手段３は、音声処理手段１６によって処理された録音データ、及びＧＰＳ時刻測位演算手段１３によって演算された時刻及び位置情報を暗号化手段１７に出力させ、これらのデータを暗号化手段１７に暗号化させる。さらに、処理手段３は、暗号化された録音データ、時刻及び位置情報を関連付けて、データ記憶部９に記憶させる。
【００２４】
また、図２に示すように、処理手段３は、ＧＰＳ衛星１９からの電波が、アダプタ２１内のＧＰＳアンテナ２によって受信されていることを表示手段６のディスプレイ２３に表示させる。すなわち、電波が受信されたＧＰＳ衛星１９の機数だけ、棒状又はアンテナを模写した図柄２２を表示手段６にさせる。３機又は４機のＧＰＳ衛星１９からの電波を受信することにより、ＧＰＳ時刻測位演算ができるため、ユーザは、表示手段６のディスプレイ２３の画面から、ＧＰＳ時刻測位演算が可能であるか否か確認することができる。
【００２５】
＜携帯型録音装置における処理フロー＞
次に、図３を参照して、携帯型録音装置１の処理フローについて説明する。
【００２６】
ユーザは、まず、携帯型録音装置１を録音に適した場所に設置し、電源をオンにする。携帯型録音装置１では、ＧＰＳアンテナ２によってＧＰＳ衛星１９からの電波が受信されると、処理手段３は、ＧＰＳアンテナ２によってＧＰＳ衛星１９からの電波が受信されていることを、表示手段６のディスプレイ２３に表示する。すなわち、処理手段３は、電波が受信されたＧＰＳ衛星１９の機数だけ、棒状の図柄２２（参照図２）を表示手段６のディスプレイ２３にさせる（Ｓ１０１）。
【００２７】
ユーザは、表示手段６のディスプレイ２３に表示された図柄２２から、３機又は４機のＧＰＳ衛星１９から電波を受信していることを確認する。これにより、ユーザは、ＧＰＳ時刻測位演算が可能であるか否か確認することができる。そのうえで、ユーザは、操作ボタン４を操作して表示手段６のディスプレイ２３に表示された録音開始のメニューを選択する（Ｓ１０２）。操作ボタン４は、録音開始のメニューが選択されたことを示す信号を処理手段３に出力する。すると、処理手段３は、マイク８によって収音され、生成されたアナログ音声信号を、音声処理手段１６に出力させ続け、録音が開始される（Ｓ１０３）。これにより、音声処理手段１６は、アナログ音声信号を増幅させ、フィルターによりノイズを除去して、Ａ／Ｄ変換によりデジタルの音声信号に変換し、符号化する。このようなマイク８のアナログ音声信号の出力及び音声処理手段１６によるアナログ音声信号の処理は、処理手段３によって録音停止が実行されるまで続けられる。
【００２８】
続いて、ユーザは、操作ボタン４を操作して表示手段６のディスプレイ２３に表示されたＧＰＳ時刻測位演算のメニューを選択する（Ｓ１０４）。操作ボタン４は、ＧＰＳ時刻測位演算のメニューが選択されたことを示す信号を処理手段３に出力する。すると処理手段３は、ＧＰＳ時刻測位演算手段１３に対して、ＧＰＳアンテナ２によって出力された受信信号を基に時刻及び位置情報（ＧＰＳデータ）を演算させる（Ｓ１０５）。さらに、処理手段３は、ＧＰＳ時刻測位演算手段１３に対して、演算した時刻及び位置情報を、音声発生手段１４及び暗号化手段１７に出力させる。
【００２９】
音声発生手段１４は、ＧＰＳ時刻測位演算手段１３によって出力された時刻及び位置情報を受けて、時刻及び位置情報を音声信号に変換し、「○年○月○日。現在の時刻は、○時○分○秒です。現在位置は、経度○度、緯度○度です。」とスピーカ７に発声させる（Ｓ１０６）。スピーカ７によって発声された音声は、マイク８によって収音されてアナログ音声信号に変換される。さらに、そのアナログ音声信号は、音声処理手段１６によって、増幅され、フィルターによりノイズが除去され、デジタル化されたうえ、符号化される。このように、スピーカ７によって時刻及び位置情報について発声された音声は、最終的に録音された会話の音声と共に、録音データとしてデータ記憶部９に記憶されることになる。
【００３０】
そして、ユーザが操作ボタン４により録音停止の操作が行われるまで（Ｓ１０７：Ｎｏ）、処理手段３は、前回のＧＰＳ時刻測位演算からの経過時間をカウントし、前回のＧＰＳ時刻測位演算から所定期間（例えば１０分）経過するまでは（Ｓ１０８：Ｎｏ）、連続して、マイク８及び音声処理手段１６によって音声を処理して録音している。そして、処理手段３は、前回のＧＰＳ時刻測位演算から所定時間を経過すると（Ｓ１０８：ＹＥＳ）、録音状態を維持しつつ、Ｓ１０５に戻って、ＧＰＳ時刻測位演算手段１３に対してＧＰＳ時刻測位演算を行わせ、音声発生手段１４に対して、ＧＰＳ時刻測位演算手段１３により演算された時刻及び位置情報をスピーカ７に発声させると共に、暗号化手段１７へ時刻及び位置情報を出力させる。このとき、上述と同様に、スピーカ７によって時刻及び位置情報について発声された音声は、会話の音声と共に、マイク８によって収音され、アナログ音声信号に変換された後、音声処理手段１６によって処理される。このように、録音状態のときは、所定期間の間隔で、ＧＰＳ時刻測位演算手段１３によってＧＰＳ時刻測位演算が行われ、音声発生手段１４によって、時刻及び位置情報がスピーカ７に発声され、その発声された音声は、録音データとしてデータ記憶部９に記憶されることになる。
【００３１】
ユーザは、録音したい話を終えると、携帯型録音装置１の録音状態を停止させるため、操作ボタン４を操作して録音停止のメニューを選択する。すると、操作ボタン４は、録音停止のメニューが選択されたことを示す信号を、処理手段３に出力する（Ｓ１０７：ＹＥＳ）。処理手段３は、ＧＰＳ時刻測位演算手段１３に対してＧＰＳ時刻測位演算を行わせ（Ｓ１０９）、音声発生手段１４に対して、ＧＰＳ時刻測位演算手段１３により演算された時刻及び位置情報をスピーカ７に発声させる（Ｓ１１０）と共に、暗号化手段１７へ時刻及び位置情報を出力させる。このときも、スピーカ７によって発声された時刻及び位置情報は、マイク８によって収音され、アナログ音声信号に変換された後、音声処理手段１６によって処理される。その後、処理手段３は、マイク８による収音された音声のアナログ音声信号への変換、音声処理手段１６による処理を停止させ、録音状態を停止させる（Ｓ１１１）。
【００３２】
さらに、処理手段３は、音声処理手段１６によって処理された一連の録音データを暗号化手段１７に出力させる。暗号化手段１７は、音声処理手段１６によって出力された録音データを暗号化すると共に、ＧＰＳ時刻測位演算手段１３によって出力された時刻及び位置情報も暗号化する（Ｓ１１２）。そして、暗号化手段１７は、暗号化した録音データ及び時刻及び位置情報を出力する。すると、処理手段３は、暗号化した録音データ及び時刻及び位置情報を関連付けてデータ記憶部９に記憶させる（Ｓ１１３）。
【００３３】
なお、ＧＰＳ衛星１９からの電波がとどかない場所で録音したい場合には、一旦、電波がとどく付近に移動して、ＧＰＳ時刻測位演算のメニューを選択してＧＰＳ時刻測位演算を実行させた後、録音場所まで移動して、録音したい話を始めても良い。
【００３４】
また、必要に応じて、処理手段３の処理により、データ記憶部９に記憶された録音データや時刻、位置情報をインターフェイスＩ／Ｆ１１を介して、外部装置やシステム、通信回線に送出させて、データを移動させると良い。録音内容を確認するときは、録音データや時刻、位置情報にかけられた暗号を解除して復号化する。そして、録音データに録音された時刻、位置情報と、ＧＰＳ時刻測位演算手段１３によって出力された時刻、位置情報のデータとが一致していることを確認することにより、録音データが改ざんされていないことを確認することができる。
【００３５】
以上のように、携帯型録音装置１によれば、ＧＰＳ衛星１９からの電波がＧＰＳアンテナ２によって受信され、その電波に基づき、ＧＰＳ時刻測位演算手段１３によって録音されている時の正確な時刻及び携帯型録音装置１自体の正確な位置情報が演算される。そして、ＧＰＳ時刻測位演算手段１３によって演算された時刻及び位置情報は、処理手段３によって関連付けられてデータ記憶部９に記憶される。したがって、データ記憶部９に記憶された時刻及び位置情報により、録音された正確な時刻及び録音された場所を確認することができる。
【００３６】
さらに、ＧＰＳ時刻測位演算手段１３によって演算された時刻及び位置情報は、処理手段３による音声発生手段１４に対する指示により、録音中にスピーカ７から発声される。スピーカ７によって発声された時刻及び位置情報は、会話されている音声と同様に、マイク８によって収音されてアナログ音声信号に変換され、音声処理手段１６によってデジタル化される。そして、スピーカ７によって発声された時刻及び位置情報は、録音データとしてデータ記憶部９に記憶されることになる。このように、ＧＰＳ時刻測位演算手段１３によって演算された時刻及び位置情報は、録音データに関連付けて、データ記憶部９に記憶されると共に、録音データとしてデータ記憶部９に記憶されるため、両者における時刻及び位置情報が一致することを確認することで、時刻及び位置情報のデータが改ざんされていないことを確認することができる。また、時刻及び位置情報のデータは二重に記録されるため、データの改ざんがしにくくなっている。
【００３７】
そのうえ、録音データ、時刻及び位置情報は、暗号化手段１７によって暗号化されるため、これらのデータは、さらに改ざんされにくくなっている。
【００３８】
また、録音の際、表示手段６のディスプレイ２３の図柄２２によって、ＧＰＳ衛星１９からの電波がＧＰＳアンテナ２によって受信されている状態になっているか否か、すなわち、正確な時刻や位置情報が演算可能である状態にあるか否かを、ユーザは確認することができる。したがって、ユーザは、表示手段６のディスプレイ２３の表示内容から、正確な時刻や位置情報が演算可能である状態であることを確認したうえで、携帯型録音装置１の録音を開始することができる。
【００３９】
なお、本発明は、上記実施形態に限られない。
【００４０】
上記実施形態では、ＧＰＳアンテナ２は、差し込み式のものであったが、ＧＰＳアンテナ２は、携帯型録音装置１に予め組み込まれているものであっても良い。また、ＧＰＳ時刻測位演算手段１３は、差し込み式のＧＰＳアンテナ２を有するアダプタに内蔵されていても良い。
【００４１】
また、上記実施形態では、ＧＰＳ時刻測位演算手段１３によって、ＧＰＳ時刻測位演算が、録音開始時、録音停止時、並びにその間の所定期間毎に行われたが、ＧＰＳ時刻測位演算手段１３によるＧＰＳ時刻測位演算は、録音開始時及び録音停止時のみであっても良く、録音開始時のみであっても良い。
【００４２】
また、処理手段３は、ＧＰＳ時刻測位演算手段１３によって演算された時刻及び位置情報を、電子透かしによって録音データに埋め込んで、データ記憶部９に記憶させても良い。これにより、さらに、時刻及び位置情報のデータは改ざんされにくくなる。
【００４３】
また、暗号化手段１７をオプション機能と位置付け、暗号化手段１７がなく、音声処理手段１６によって処理された音声信号を、処理手段３の指示によってデータ記憶部９に直接記憶させても良い。
【図面の簡単な説明】
【００４４】
【図１】本発明による携帯型録音装置の一実施形態を示す機能ブロック図である。
【図２】ＧＰＳ衛星の電波を受信している携帯型録音装置の様子を示す図である。
【図３】携帯型録音装置による録音をする間の処理フローを示す。
【符号の説明】
【００４５】
１…携帯型録音装置、２…ＧＰＳアンテナ、３…処理手段、６…表示手段、７…スピーカ、８…マイク、９…データ記憶部、１３…ＧＰＳ時刻測位演算手段、１４…音声発生手段、１６…音声処理手段、１７…暗号化手段、１９…ＧＰＳ衛星。
【図１】
2006146099.tif 000003
【図２】
2006146099.tif 000004
【図３】
2006146099.tif 000005